(57)【特許請求の範囲】
【請求項１】
少なくとも基材フィルムと、当該基材フィルム上に剥離可能に設けられた転写部とからなり、当該転写部は画像が形成される受容層を少なくとも有し、画像が形成された後の前記転写部を被転写体に転写するために用いられる中間転写記録媒体において、
前記転写部は、紫外線吸収層を有し、該紫外線吸収層は、２５０〜３４０ｎｍの波長の紫外線吸収率が９０％以上であり、３４０〜３７０ｎｍの波長の紫外線吸収率が５０％未満であって、
前記紫外線吸収層と前記受容層との間に可視光領域以外の波長領域に吸収をもった材料によって蛍光潜像が形成されており、
前記転写部には、マイクロ文字が形成されていることを特徴とする中間転写記録媒体。
【請求項２】
前記転写部は、ホログラム層を有し、当該ホログラム層に前記マイクロ文字が形成されていることを特徴とする請求項１に記載の中間転写記録媒体。
【請求項３】
前記マイクロ文字が、エンボス加工によって形成されていることを特徴とする請求項２に記載の中間転写記録媒体。
【請求項４】
前記マイクロ文字が、０．２ポイント以下であることを特徴とする請求項１乃至請求項３の何れかに記載の中間転写記録媒体。
【請求項５】
前記転写部には、さらに、彩紋柄が形成されていることを特徴とする請求項１乃至請求項４の何れかに記載の中間転写記録媒体。
【請求項６】
前記蛍光潜像が、マイクロ文字または彩紋柄であることを特徴する項１乃至請求項５の何れかに記載の中間転写記録媒体。
【請求項７】
請求項１乃至請求項６の何れかに記載の中間転写記録媒体から転写された前記転写部を有した印画物。
【発明の詳細な説明】
【０００１】
【発明の属する技術分野】
本発明は、画像を一旦受容層に記録し、その後、該受容層が被転写体に転写されて印画物を形成するのに用いられる中間転写記録媒体およびかかる中間転写記録媒体を用いて作成された印画物に関し、更に詳しくは、改ざん、偽造等がされにくい印画物を形成するための中間転写記録媒体およびその印画物に関する。
【０００２】
【従来の技術】
中間転写記録媒体は、画像を一旦受容層に記録し、その後その受容層が被転写体に転写されて印画物を形成するために従来より用いられている。この受容層には、色材層が設けられた熱転写シートを用いた熱転写記録方法によって画像が記録されるので、受容層の構成材料によっては、高画質の画像を形成できる。また、被転写体に対して優れた接着性を有する受容層とすることができたり、接着層を介することによって受容層を被転写体に接着性よく転写することもできるので、色材が移行しにくく高画質の画像を直接形成できない被転写体や、熱転写時に色材層と融着し易い被転写体などに対して好ましく用いられている。
【０００３】
図３は、典型的な中間転写記録媒体の一例の断面模式図を示したものである。中間転写記録媒体１０１は、基材フィルム１０２と、少なくとも受容層１０５を有する転写部１１２とから構成されている。受容層１０５には、色材層が設けられた熱転写シートを用いて熱転写することによって、画像１０６が形成される。受容層１０５に画像１０６が形成された転写部１１２は、基材フィルム１０２から剥離して被転写体上に転写され、被転写体上に目的の画像１０６を形成する。
【０００４】
このような中間転写記録媒体を用いることによって、高解像度で高品質な画像を被転写体上に転写形成することができる。また、あらかじめ中間転写記録媒体の転写部に必要とされる文字や顔写真等の画像を形成しておき、その後の転写によって被転写体に画像を形成することができるので、例えばパスポートの冊子やカード基材のような個別に存在する被転写体であっても簡単に画像が形成できる点で特に優れており、好ましく使用されている。また、あらかじめ被転写体上にサイン等の必要な事項を記入または印刷等し、その後に、中間転写記録媒体から文字や写真等の画像が形成された転写部を転写することによって作成することもできる。そのため、中間転写記録媒体は、パスポート等の身分証明書やクレジットカード・ＩＤカード等の印画物の作成に対して好ましく用いることができる。
【０００５】
【発明が解決しようとする課題】
上述したようなパスポートやクレジットカード等の印画物には、セキュリティー、即ち偽造や改ざんされ難い高い信頼性・安全性が要求されている。そのため、複写による偽造や改ざん等がし難いように従来から種々の工夫がなされている。
【０００６】
例えば、複写による偽造を防止するために、パスポートの冊子やカード基材のような被転写体上に、マイクロ文字を印刷したり、可視光領域以外の波長領域（以下「非可視光領域」という。）に吸収をもったインキで文字を印刷することによって複写や改ざん等を防止することが行なわれれている。
【０００７】
しかしながら、このような文字は、何れも被転写体上に直接印刷して設けられたものであるため、転写部を破損しないように剥がして、被転写体上に直接印刷された文字を改ざん等されるおそれがある。
【０００８】
また、非可視光領域に吸収をもったインキを被転写体上に設ける場合には、そのインキが被転写体に染着し易いことが条件となるので、被転写体の材質や形状に制約があるという実際上の問題があり、改ざん等の防止に効果のあるインキを使用できない場合もある。
【０００９】
また、非可視光領域に吸収をもったインキを被転写体上に印刷して設けた場合、インキ材質によっては、転写部との接着性に劣る場合がある。この場合、被転写体に転写された転写部は、被転写体とは良好に接着しても、被転写体上に印刷されたインキとの接着性に劣ってインキ上に十分に接着することができず、その結果、転写部と被転写体との密着の弱い部分が生じ、改ざん等が容易となるおそれもある。
【００１０】
そこで、上記課題を解決するため、本発明の目的は、改ざん、偽造等がされにくい印画物を形成するための中間転写記録媒体の提供およびかかる中間転写記録媒体を用いて作成された印画物の提供にある。
【００１１】
【課題を解決するための手段】
本発明の中間転写記録媒体は、少なくとも基材フィルムと、当該基材フィルム上に剥離可能に設けられた転写部とからなり、当該転写部は画像が形成される受容層を少なくとも有し、画像が形成された後の前記転写部を被転写体に転写するために用いられる中間転写記録媒体において、前記転写部には、マイクロ文字が形成されていることに特徴を有する。この発明によれば、マイクロ文字が形成されているので、複写による偽造が困難となる。また、マイクロ文字が転写部に形成されているので、被転写体上に印刷された事項を改ざん等しようとして転写部を剥がすと、マイクロ文字が破損してしまい、改ざん等をより一層防止することができる。
【００１２】
このとき、前記転写部がホログラム層を有し、当該ホログラム層に前記マイクロ文字が形成されていることが好ましく、さらに、前記マイクロ文字がエンボス加工によって形成されていることが特に好ましい。ホログラム層にマイクロ文字が形成されているので、ホログラムとマイクロ文字によって偽造が極めて困難となり、さらに、マイクロ文字が印刷でなく、エンボス加工によって形成されているので、複写によってもマイクロ文字が現れることがなく、信頼性・安全性に優れた印画物とすることができる。
【００１３】
前記マイクロ文字を０．２ポイント以下の大きさとすることが好ましく、また、前記転写部に、さらに彩紋柄を形成することが好ましい。これにより、より一層改ざん等の防止に効果的となる。
【００１４】
前記転写部には、マイクロ文字や彩紋柄のほかに、赤外線や紫外線等の非可視光領域に吸収をもった材料、特に紫外光領域に吸収をもった材料によって蛍光潜像が形成されていることが好ましい。この発明によれば、複写による偽造が困難な蛍光潜像が、非可視光領域に吸収をもった材料によって転写部に形成されるので、蛍光潜像の形成が被転写体の材質や形状に制約されることがなく、また、被転写体上に印刷された事項を改ざん等しようとして転写部を剥がすと、蛍光潜像が破損してしまうので、改ざん等を防止できる。また、蛍光潜像を被転写体上に形成しないので、蛍光潜像が形成された部分と形成されない部分とで、転写部に対する接着性が相違しないので、転写不良や密着不良が起こるという従来の問題が起こらず、改ざん等をより一層防止できる。
【００１５】
また、前記転写部に、紫外線吸収層を設け、この紫外線吸収層が、２５０〜３４０ｎｍの波長の紫外線吸収率が９０％以上であり、かつ、３４０〜３７０ｎｍの波長の紫外線吸収率が５０％未満であって、当該紫外線吸収層と前記受容層との間に前記蛍光潜像を設けることが好ましい。これにより、転写部が被転写体に転写された後、受容層に形成された画像が紫外線吸収層によって紫外線から保護される。さらに、この紫外線吸収層は、２５０〜３４０ｎｍの波長を９０％以上吸収するので、紫外線による画像の劣化が起こらない。また、３４０〜３７０ｎｍの波長の紫外線吸収率が５０％未満であるので、この範囲の波長の紫外線を照射することにより、紫外線吸収層と受容層との間に形成した蛍光潜像を認識することができ、蛍光潜像の光劣化と改ざん防止の両面において効果がある。
【００１６】
また、上述の中間転写記録媒体から転写された前記転写部を有した印画物は、改ざん等が極めて困難であるため、その印画物は高い信頼性と安全性を有する。また、この印画物は、中間転写記録媒体から画像、マイクロ文字、彩紋柄、蛍光潜像等の設けられた転写部が転写されるので、パスポートのように既に冊子となった後の所定の欄であっても、容易に転写部を転写することができ、改ざん等がし難く、高い信頼性と安全性を有する印画物を提供することができる。
【００１７】
【発明の実施の形態】
図１は、本発明の中間転写記録媒体の一例を示す断面図である。中間転写記録媒体１Ａは、基材フィルム２と、基材フィルム２上に剥離可能に設けられた転写部１２とから構成されている。転写部１２は、画像が転写される受容層５を少なくとも有し、基材フィルム２側から剥離層３、保護層４、ホログラム層７、透明蒸着層８、アンカー層９、受容層５の順で積層されている。転写部１２にはマイクロ文字１０および彩紋柄１１が形成されている。この中間転写記録媒体１Ａは、画像６が形成された後の転写部１２を、被転写体上に転写して印画物を得るために用いられる。
【００１８】
転写部１２に設けられた層の内、剥離層３、保護層４、ホログラム層７、アンカー層９は必ずしも必須の層ではなく、被転写体の材質、印画物の用途および使用態様などにより適宜選択されて設けられるものであり、特に限定されるものではない。そのため、これらの層の代わりに、または、これらの層に加えて、紫外線吸収層などの特有の作用を有する層を適宜選択して設けることもできる。
【００１９】
マイクロ文字１０は、中間転写記録媒体１Ａの転写部１２を転写して得られた印画物の偽造や改ざん等を防止するために設けられるものであり、転写部１２に印刷またはエンボス加工によって形成することができる。
【００２０】
印刷によってマイクロ文字１０を形成する場合には、受容層５を少なくとも有する転写部１２内の何れかの層の表面に設けることができ、例えばアンカー層９の受容層５側の表面に設けることが好ましい。マイクロ文字１０を印刷するための材料は、公知のオフセット印刷用インキやグラビア印刷用インキ等の材料であればよい。また、マイクロ文字１０の印刷方法としては、オフセット印刷、凸版印刷、グラビア印刷等の方法によって形成することができる。
【００２１】
また、エンボス加工によってマイクロ文字１０を形成する場合には、転写部１２に設けられたホログラム層７をエンボス加工してマイクロ文字１０を形成することが好ましい。エンボス加工によってマイクロ文字１０を形成する方法は、ホログラムの微細エンボスパターンが記録された原版を用いて、微細エンボスパターンをエンボス加工する方法等によって形成することができる。
【００２２】
マイクロ文字１０がエンボス加工によってホログラム層７に形成されている場合、マイクロ文字１０による印画物の偽造や改ざんの防止に加えて、ホログラム層７によっても印画物の偽造や改ざんを防止することができるので、より一層効果的となる。
【００２３】
印刷により形成するマイクロ文字１０の大きさは、０．２ポイント以下であることが好ましく、０．１ポイント以下であることが特に好ましい。印刷により形成するマイクロ文字１０の大きさが０．２ポイントを超える場合には、印画物に転写されたマイクロ文字１０が、複写によって再現されて偽造されるおそれがある。
【００２４】
また、エンボス加工により形成するマイクロ文字１０は、そもそも複写によっては再現されないので、０．５ポイント以下であればよいが、好ましくは印刷による場合と同様の０．２ポイント以下であり、更に好ましくは０．１ポイント以下である。エンボス加工により形成するマイクロ文字の大きさが０．５ポイントを超える場合には、得られた印画物が改ざんされるおそれがある。尚、「ポイント」とは、活字類の大きさの基礎単位であり、１ポイントは０．３５１４ｍｍである。
【００２５】
また、中間転写記録媒体１Ａに彩紋柄１１を形成することにより、得られた印画物の偽造や改ざん等をさらに防止でき、セキュリティーを向上させることができる。形成される彩紋柄１１は、従来公知のものであればよく、特に限定されない。
【００２６】
彩紋柄１１は、上述したマイクロ文字１０と同様に、印刷またはエンボス加工の何れによっても設けることができる。
【００２７】
彩紋柄１１を印刷によって形成する場合には、受容層５を少なくとも有する転写部１２内の何れかの層の表面に設けることができ、例えばアンカー層９の受容層５側の表面に設けることが好ましい。彩紋柄１１を印刷するための材料は、通常のオフセット印刷用インキ等の従来公知の材料であればよい。また、彩紋柄１１は、上述のマイクロ文字１０との同様の印刷方法で形成することができる。
【００２８】
また、エンボス加工によって彩紋柄１１を形成する場合には、転写部１２に設けられたホログラム層７をエンボス加工して彩紋柄１１を形成することが好ましい。エンボス加工による彩紋柄１１は、上述のマイクロ文字１０との同様の方法で形成することができる。
【００２９】
また、彩紋柄１１の形成位置も、マイクロ文字１０と同様であり、印刷によって形成する場合には、受容層５を少なくとも有する転写部１２内の何れかの層の表面、特にアンカー層９の受容層５側の表面に設けることが好ましく、エンボス加工によって形成する場合には、転写部１２に設けられたホログラム層７に形成することが好ましい。
【００３０】
以上述べたように、本発明の中間転写記録媒体１Ａは、その転写部１２にマイクロ文字１０や彩紋柄１１が形成されているので、複写による偽造が困難となると共に、被転写体上に印刷された事項を改ざんしようとして転写部１２を剥がすと、マイクロ文字１０や彩紋柄１１が破損してしまうので、改ざんを防止することができる。
【００３１】
図２は、本発明の中間転写記録媒体の他の一例を示す断面図である。この中間転写記録媒体１Ｂは、基材フィルム２と、基材フィルム２上に設けられた離型層１３と、離型層１３上に設けられた転写部１２とから構成されている。転写部１２は、画像６が転写される受容層５を少なくとも有し、基材フィルム２側から保護層４、紫外線吸収層１５、ホログラム層７、透明蒸着層８、アンカー層９、受容層５の順で積層されている。転写部１２にはマイクロ文字１０および彩紋柄１１が形成されている。また、蛍光潜像１４が、保護層４の紫外線吸収層１５側の表面に形成されている。この中間転写記録媒体１Ｂも、上述の中間転写記録媒体１Ａと同様に、画像６が形成された後の転写部１２を、被転写体上に転写して印画物を得るために用いられる。
【００３２】
この中間転写記録媒体１Ｂは、図１で示した中間転写記録媒体１Ａと異なり、転写部１２の基材フィルム２側の最表面に剥離層３を設ける代わりに、基材フィルム２の転写部１２側の最表面に離型層１３を設けている。このため、保護層４と離型層１３との間で剥離して転写部１２が被転写体上に転写される。なお、こうした転写部１２の剥離を、図１の中間転写記録媒体１Ａのように剥離層３を設けることによって行なうか離型層１３を設けることによって行なうかは、適宜選択することができる。
【００３３】
転写部１２に設けられた層の内、例えば保護層４、紫外線吸収層１５、ホログラム層７、アンカー層９は必ずしも必須の層ではなく、被転写体の材質、印画物の用途および使用態様などにより適宜選択されて設けられるものであり、特に限定されるものではない。
【００３４】
蛍光潜像１４は、得られた印画物の偽造を防止するために、中間転写記録媒体１Ｂの転写部１２に設けられるものであり、非可視光領域、例えば赤外線、紫外線その他の放射線に吸収をもった材料によって形成される。中でも、紫外線領域に吸収をもった材料によって蛍光潜像１４を形成することが好ましい。
【００３５】
蛍光潜像１４は、非可視光領域に吸収をもった材料を印刷して形成した文字や模様等に紫外線または赤外線等を照射した際に、ある一定の蛍光波長を発することによって認識される。しかし、紫外線または赤外線等が照射されないときは、蛍光波長を発しない潜像として作用するものであるから、形成される文字や模様、その大きさおよび形成位置には特に限定されることはなく、被転写体の用途や使用態様によって適宜設定することができる。
【００３６】
紫外線領域に吸収をもった材料としては、ある一定の蛍光波長を発する物質が用いられ、無機蛍光体と有機蛍光体の何れであってもよい。蛍光潜像は、無機蛍光体や有機蛍光体を主成分とした蛍光顔料を含む蛍光潜像用インキを印刷することによって得ることができる。無機蛍光顔料としては、Ｃａ、Ｂａ、Ｍｇ、Ｚｎ、Ｃｄ等の酸化物、硫化物、ケイ酸塩、リン酸塩、タングステン酸塩等の無機結晶蛍光体を主成分とし、Ｍｎ、Ｚｎ、Ａｇ、Ｃｕ、Ｓｂ、Ｐｂ等の金属元素またはランタノイド類等の希土類元素を活性剤として添加して焼成したものが用いられる。好ましい無機蛍光顔料としては、ＺｎＯ：Ｚｎ、Ｂｒ5（ＰＯ4）3Ｃｌ：Ｅｕ、Ｚｎ2ＧｅＯ4：Ｍｎ、Ｙ2Ｏ3：Ｅｕ、Ｙ（Ｐ、Ｖ）Ｏ4：Ｅｕ、Ｙ2Ｏ2Ｓｉ：Ｅｕ、Ｚｎ2ＧｅＯ4：Ｍｎ等を挙げることができる。有機蛍光顔料としては、ジアミノスチルベンジスルホン酸誘導体、イミダゾール誘導体、クマリン誘導体、トリアゾール、カルバゾール、ピリジン、ナフタル酸、イミダゾロン等の誘導体、フルオレセイン、エオシン等の色素、アントラセン等ベンゼン環を持つ化合物等を用いることができる。
【００３７】
無機蛍光顔料は耐久性および耐候性に優れており、有機蛍光顔料はインキのビヒクルのぬれ性がよく特に表面処理をしなくともインキ化適正に優れている。上記した各々の顔料の内、粒径が比較的大きくて輝度が大きい安定な酸化物系または酸素酸塩系の無機蛍光顔料は、耐久性、耐候性、特に耐光性や印刷適性の向上を図ることができるので好ましく使用できる。特に、ＺｎＯ：Ｚｎの無機蛍光顔料は、輝度および耐候性の点で優れている。なお、蛍光顔料として、希土類蛍光体を主成分とした蛍光顔料を使用することもできる。
【００３８】
輝度等の蛍光特性とインキの印刷特性の向上を図るために、蛍光顔料の粒径を調整することが好ましい。そのため、蛍光顔料の顔料粒子の平均径を０．７〜４μｍとすることが好ましく、更に好ましくは０．７〜２μｍ、最も好ましくは１〜２μｍである。一般に、顔料粒径が小さいほどインキ特性が向上することが予想されるが、粒径が０．７μｍ未満では、かえって蛍光の輝度が著しく低下する現象が見られる。従って、０．７μｍ以上の粒径を有する蛍光顔料を用いることが好ましい。一方、粒径が４μｍを超えると、認識される蛍光画像の透明性が低下する場合がある。
【００３９】
蛍光潜像用インキ中の蛍光顔料の含有量は、輝度と被印刷材への転写性（接着性）の双方の向上を図るため、１５〜８０重量％とすることが好ましく、更に好ましくは２０〜５０重量％である。蛍光顔料の含有量が１８重量％未満では、蛍光顔料の種類によっては、蛍光潜像用インキのインキ組成物状態での蛍光輝度が極端に低下し、例えば１２重量％程度では蛍光顔料自体の有する輝度に対して約１／１０程度にまで減少する場合がある。蛍光潜像の厚さは、必要とされる蛍光輝度と蛍光顔料の含有量等によって適宜決定することができ、例えば１〜１０μｍとすることができる。本発明では、透明性を確保するという観点から、前記のように比較的小さい粒子径の蛍光顔料を用いるが、粒子径が小さいことによる蛍光強度の不足は、形成する蛍光潜像の厚さを増すことにより補うことができる。
【００４０】
さらに、蛍光顔料の性質（隠蔽力、着色力、吸油性、耐久性等）を改善するために表面処理を行いことが好ましい。特に無機発光顔料を用いた場合、その表面が親水性であり、油性のポリマーとの親和性が乏しいため、表面処理を行うことによってポリマーとの親和性を改善することが好ましい。
【００４１】
蛍光潜像１４の形成方法は、上記の材料を樹脂中に分散して、オフセット印刷、グラビア印刷、シルク印刷等することによって、転写部１２を構成する何れかの層の表面に形成することができ、例えば上述したように、保護層４の紫外線吸収層１５側の表面に設けることができる。
【００４２】
このような非可視光領域に吸収をもった材料を印刷して、マイクロ文字や彩紋柄を蛍光潜像１４として形成することができる。このマイクロ文字の大きさを、上述した範囲と同程度とすることができ、その結果、改ざん等の防止により一層効果的となる。
【００４３】
また、蛍光潜像１４を形成するための上記の材料を、全ベタで形成した蛍光潜層とすることもでき、また、他の層例えば受容層５やホログラム層７等の形成材料と混ぜて形成してもよい。
【００４４】
蛍光潜像１４の認識は、蛍光潜像１４を形成する材料によって異なる。すなわち、紫外線または赤外線等を使用した際に発する蛍光波長が可視光領域となるような材料によって蛍光潜像１４を形成した場合には、目視によって認識することができるが、蛍光波長が紫外光領域または赤外光領域となるような材料によって蛍光潜像１４を形成した場合には、発せられる蛍光波長を検知できるセンサーによって認識することができる。
【００４５】
蛍光潜像１４が設けられた転写部１２を、被転写体に転写することによって得られた印画物は、複写による偽造が困難となる。また、蛍光潜像１４が、非可視光領域に吸収をもった材料によって転写部１２に形成されるので、蛍光潜像１４の形成が被転写体の材質や形状に制約されることがなく、また、被転写体上に印刷された事項を改ざん等しようとして転写部１２を剥がすと、蛍光潜像１４が破損してしまうので、改ざん等を防止することができる。また、蛍光潜像１４を被転写体上に形成しないので、蛍光潜像１４が形成された部分と形成されない部分とで、転写部１２に対する密着性が相違し、転写部１２を剥がすことも容易でなくなるので、改ざん等の防止に好ましい。
【００４６】
紫外線吸収層１５は、転写部１２が被転写体に転写された後、受容層５に形成された画像６を自然光中の紫外線から保護して劣化を防止する。それゆえ、紫外線吸収層１５は、中間転写記録媒体１Ｂにおいて、受容層５の基材フィルム２側に位置するように転写部１２に設けられる。
【００４７】
紫外線吸収層１５は、転写部１２に設けられた他の層等、例えばホログラム層７、マイクロ文字１０、彩紋柄１１、蛍光潜像１４、受容層５等に対しても、自然光中の紫外線によってインキや樹脂の劣化を防止することができるので好ましく設けられる。それゆえ、紫外線吸収層１５は、保護層４と同様に、得られた印画物の表面または表面付近に配置されるように中間転写記録媒体１Ｂの転写部１２の所定の位置、即ち基材フィルム２側に近くて受容層５側から遠い位置に設けられる。
【００４８】
蛍光潜像１４が紫外線領域に吸収をもった材料から形成されている場合、２５０〜３４０ｎｍの波長の紫外線吸収率が９０％以上であり、３４０〜３７０ｎｍの波長の紫外線吸収率が５０％未満である紫外線吸収層１５を設けることが好ましい。このとき蛍光潜像１４は、紫外線吸収層１５と受容層５との間に設けられている。
【００４９】
この紫外線吸収層１５は、２５０〜３４０ｎｍの波長を９０％以上吸収するので、紫外線による画像６の劣化が起こらない。このときの紫外線吸収率が９０％未満の場合は、画像６や他の層等を紫外線による劣化から防止することができない場合がある。
【００５０】
また、３４０〜３７０ｎｍの波長の紫外線吸収率が５０％未満であるので、この範囲の波長の紫外線を照射することにより、紫外線吸収層１５と受容層５との間に形成した蛍光潜像１４が一定の蛍光を発することによって認識することができる。このときの紫外線吸収率が５０％以上の場合は、紫外線吸収層１５を通過する上記波長の紫外線が少なく、蛍光材料から蛍光が発しにくく、蛍光潜像を認識しにくい。
【００５１】
このように、波長によって紫外線吸収率の異なる紫外線吸収層１５を設けることにより、得られた印画物の画像等の劣化を防止することができると共に、蛍光潜像１４を設けることも可能となるので、偽造や改ざんを防止することができるという優れた効果がある。
【００５２】
紫外線吸収層１５を形成するための材料は、例えば従来公知の有機系紫外線吸収剤であるサリシレート系、ベンゾフェノン系、ベンゾトリアゾール系、置換アクリロニトリル系、ニッケルキレート系、ヒンダートアミン系の非反応性紫外線吸収剤に、例えばビニル基、アクリロイル基、メタクリロイル基等の付加重合性二重結合を有するもの、またはアルコール性水酸基、アミノ基、カルボキシル基、エポキシ基、イソシアネート基等を導入したものを使用することができ、特に限定されない。また、その形成方法も、従来と同様の方法で形成することができる。
【００５３】
また、波長領域によって紫外線吸収率が上記のように調整された紫外線吸収層１５は、上述の材料のうち、ベンゾフェノン系の材料を用いることが特に好ましい。また、形成方法は、従来と同様の方法で形成することができる。
【００５４】
図３は、図２に示した中間転写記録媒体１Ｂから転写部１２を転写することによって得られた印画物１７の断面図を示している。この印画物１７は、被転写体１６と、被転写体１６上の転写部１２とからなる。転写部１２には、被転写体１６側から、画像６が形成された受容層５、アンカー層９、透明蒸着層８、ホログラム層７、紫外線吸収層１５、保護層４の順で積層されている。マイクロ文字１０は、エンボス加工によってホログラム層７に形成され、彩紋柄１１は、印刷によってアンカー層９の受容層５側の表面に形成され、蛍光潜像１４は、印刷によって剥離層３の保護層４側の表面（図１参照）または保護層４の紫外線吸収層１５側の表面に形成されている。
【００５５】
中間転写記録媒体１Ｂから転写部１２が転写される際、接着層を介することによって、転写部１２を被転写体１６上に接着性よく設けることができる。接着層は、接着層転写シートから中間転写記録媒体の受容層５上または被転写体１６上の何れかに転写され、その後、中間転写記録媒体から転写部１２を転写することによって、被転写体上に転写部１２を接着性よく転写することができる。接着層としては、従来公知の接着層を用いることができる。また、被転写体１６と受容層５の何れに対しても優れた接着性を有するように構成された接着層を用いることもできる。
【００５６】
印画物１７は、上述したような中間転写記録媒体１Ａ、１Ｂから転写部を転写することによって得ることができるので、転写部１２を構成する各層は適宜必要に応じて選択して設けられ、また、偽造や改ざんを防止するためのマイクロ文字１０、彩紋柄１１、蛍光潜像１４が、印画物に要求されるセキュリティー、すなわち信頼性・安全性の程度によって必要に応じて設けられる。
【００５７】
こうして得られた印画物１７は、改ざん等が極めて困難であるため、その印画物１７は、高い信頼性と安全性を有することとなる。
【００５８】
また、この印画物１７は、予め中間転写記録媒体１Ａ、１Ｂの転写部１２に形成された画像６やマイクロ文字１０等を転写することによって得られるので、パスポートのように既に冊子となった後の所定の欄であっても、容易に転写部１２を転写することができ、改ざん等がし難く、信頼性と安全性に優れた印画物を提供することができる。
【００５９】
次に、本発明の中間転写記録媒体を構成する各層について説明する。
【００６０】
基材フィルム２は、従来の中間転写記録媒体に使用されているものと同じ基材フィルムをそのまま用いることができ、特に限定するものではない。好ましい基材フィルム２の具体例としては、グラシン紙、コンデンサー紙またはパラフィン紙等の薄紙、あるいは、ポリエチレンテレフタレート、ポリエチレンナフタレート、ポリブチレンテレフタレート、ポリフェニレンサルファイド、ポリエーテルケトンもしくはポリエーテルサルホン等の耐熱性の高いポリエステル、ポリプロピレン、ポリカーボネート、酢酸セルロース、ポリエチレン誘導体、ポリ塩化ビニル、ポリ塩化ビニリデン、ポリスチレン、ポリアミド、ポリイミド、ポリメチルペンテンまたはアイオノマー等のプラスチックの延伸または未延伸フィルムが挙げられる。また、これらの材料を２種以上積層した複合フィルムも使用することができる。基材フィルム２の厚さは、その強度および耐熱性等が適切になるように材料に応じて適宜選択することができるが、通常は１〜１００μｍ程度のものが好ましく用いられる。
【００６１】
基材フィルム２の転写部１２側とは反対の面に、必要に応じて背面層を従来公知の方法で設けることができる。背面層は、中間転写記録媒体を用いて被転写体に転写部１２を転写する際、基材フィルム２とサーマルヘッド等の加熱デバイスとの融着を防止し、摺動性を向上させるために、従来用いられている樹脂と同様の樹脂によって設けることができる。
【００６２】
受容層５は、中間転写記録媒体を構成する転写部１２の一部として、基材フィルム２側とは反対側の最表面に位置するように設けられる。この受容層５上には、熱転写によって、色材層を有する熱転写シートから熱転写法によって画像６が形成される。そして、画像６が形成された中間転写記録媒体１Ａ、１Ｂの転写部１２は、被転写体１６に転写され、その結果、印画物１７が形成される。
【００６３】
このため、受容層５を形成するための材料としては、昇華性染料または熱溶融性インキ等の熱移行性色材を受容し易い従来公知の樹脂材料を使用することができる。例えば、ポリプロピレン等のポリオレフィン系樹脂、ポリ塩化ビニルもしくはポリ塩化ビニリデン等のハロゲン化樹脂、ポリ酢酸ビニル、塩化ビニル−酢酸ビニル共重合体、エチレン−酢酸ビニル共重合体もしくはポリアクリル酸エステル等のビニル系樹脂、ポリエチレンテレフタレートもしくはポリブチレンテレフタレート等のポリエステル樹脂、ポリスチレン系樹脂、ポリアミド系樹脂、エチレンもしくはプロピレン等のオレフィンと他のビニルポリマーとの共重合体系樹脂、アイオノマーもしくはセルロースジアスターゼ等のセルロース系樹脂、ポリカーボネイト等が挙げられ、特に、塩化ビニル系樹脂、アクリル−スチレン系樹脂またはポリエステル樹脂が好ましい。
【００６４】
受容層５が接着層を介して被転写体に転写される場合には、受容層５自体の接着性は必ずしも要求されない。しかし、受容層５が接着層を介さないで被転写体に転写される場合には、塩化ビニル−酢酸ビニル共重合体樹脂などの接着性を有する樹脂材料を用いて受容層５を形成することが好ましい。
【００６５】
受容層５は、上述の材料の中から選択された単独または複数の材料および必要に応じて各種添加剤等を加え、水または有機溶剤等の適当な溶剤に溶解または分散させて受容層用塗工液を調製し、これをグラビア印刷法、スクリーン印刷法またはグラビア版を用いたリバースコーティング法等の手段により、基材フィルム２上に、または、基材フィルム２上に保護層４等が設けられている場合にはその上に塗布、乾燥して形成することができる。その厚さは、乾燥状態で１〜１０μｍ程度である。
【００６６】
保護層４は、必要に応じて転写部の１２一部として設けられ、被転写体１６に転写された後に受容層５を覆い、画像６の品質を維持する。保護層４を形成するための材料は、従来公知の保護層用の材料を用いることができ、表面保護層として所望の物性、例えば耐指紋性を有する樹脂組成を選定することが好ましい。また、耐擦過性、耐薬品性、耐汚染性が特に要求される場合は、保護層用の樹脂として電離放射線硬化型樹脂を用いることもできる。また、画像形成物の耐擦過性を向上させるための滑剤、汚染防止のための界面活性剤、耐候性能を向上させるための紫外線吸収剤、酸化防止剤等を適宜添加した保護層用材料を用いて保護層４を形成することもできる。
【００６７】
保護層４は、剥離層３と同様の方法で形成することができ、厚さは０．１〜１０μｍが好ましい。
【００６８】
ホログラム層７は、必要に応じて転写部１２の一部として設けられ、被転写体に転写された後に受容層５を覆い、ホログラムパターンを伴う印画物を得ることができる。ホログラムパターンが設けられた印画物は、装飾的な効果を有すると共に、複写による偽造等が困難なことからクレジットカードやパスポートなどセキュリティーが要求される場合に好ましく使用される。
【００６９】
ホログラム層７を形成するための材料としては、例えば、不飽和ポリエステル樹脂、アクリルウレタン樹脂、エポキシ変成アクリル樹脂、エポキシ変成不飽和ポリエステル樹脂、アルキッド樹脂、フェノール樹脂等を使用することができ、また、アクリル酸エステル樹脂、アクリルアミド樹脂、ニトロセルロース樹脂、ポリスチレン樹脂等の熱可塑性樹脂も使用することができる。これらの樹脂の単独または２種以上に、各種のイソシアネート樹脂、ナフテン酸コバルトやナフテン酸亜鉛等の金属石鹸ベンゾイルパーオキサイドやメチルエチルケトンパーオキサイド等の過酸化物、または、ベンゾフェノン、アセトフェノン、アントラキノン、ナフトキノン、アゾビスイソブチロニトリル、ジフェニルスルファイド等の熱もしくは紫外線硬化剤等を配合してもよい。また、エポキシアクリレート、ウレタンアクリレート、アクリル変成ポリエステル等をオリゴマーとし、これに架橋構造や粘度の調整等を目的としたネオペンチルグリコールアクリレート、トリメチロールプロパントリアクリレート等のモノマー等を適宜混合した電離放射線硬化型樹脂を使用することもできる。また、その形成方法も、従来と同様の方法、例えば微細エンボスパターンのエンボス加工等の方法で形成することができる。
【００７０】
透明蒸着層８は、通常、ホログラム層７に接して受容層５の側に設けられる。この透明蒸着層８は、他の層とは屈折率が異なるので、形成された印画物において、ホログラムの絵柄を浮き立たせる作用を有する。透明蒸着層８を形成するための材料は、従来公知のもの、例えばＺｎＳ、ＴｉＯ2、ＳｉＯ2、Ｃｒ2Ｏ3などの金属酸化物や硫化物等を使用することができ、特に限定されない。また、その形成方法も、真空蒸着法やスパッタリング法等の従来と同様の方法で形成することができる。
【００７１】
アンカー層９は、例えば図２においては、その表面に透明蒸着層８が設けられたホログラム層７と受容層５とを接着させるために設けられる。このアンカー層９を形成するための材料は、従来公知のものを使用することができ、特に限定されない。また、その形成方法も、従来と同様の方法で形成することができる。
【００７２】
紫外線吸収層は、必要に応じて転写部１２の一部として、受容層５と基材フィルム２の間の適当な位置に設けることもできる。この紫外線吸収層は、転写後の受容層５を覆って、自然光中の紫外線から印画物の画像６の劣化を防止する。この紫外線吸収層を形成するための材料は、従来公知のものを使用することができ、特に限定されない。また、その形成方法も、従来と同様の方法で形成することができる。
【００７３】
剥離層３は、通常、アクリル骨格樹脂、ニトロセルロース樹脂およびこれら樹脂とポリエチレンワックスとの混合物、さらに、塩化ビニル−酢酸ビニル共重合体樹脂、酢酸セルロース、熱硬化型アクリル樹脂、メラミン樹脂等から形成され、特にアクリル骨格樹脂を主成分とすることが好ましい。また、剥離層３と基材フィルム２との密着力を調整するために、ポリエステル樹脂等が好ましく用いられる。
【００７４】
剥離層３は、例えばアクリル骨格樹脂とポリエステル樹脂を適当な溶剤により、溶解または分散させて剥離層用塗工液を調製し、これを基材フィルム２上にグラビア印刷法、スクリーン印刷法またはグラビア版を用いたリバースコーティング法等の手段により塗布、乾燥して形成することができる。その乾燥後の厚さは、通常０．１〜１０μｍである。
【００７５】
また、剥離層３を有していない転写部１２であっても、保護層４に剥離性をもたせることによって、保護層４と基材フィルム２との間で適当な密着力をもたせることができる。また、保護層４も有していない転写部１２であっても、基材フィルム２に相対する層に剥離性をもたせることによって、上述の剥離層と同様の作用をもたせることもできる。
【００７６】
離型層１３は、上述の剥離層３の代わりに基材フィルム２上に設けることができ、通常、バインダ樹脂と離型性材料とから形成される。バインダ樹脂としては、熱可塑性樹脂であるポリメタクリル酸メチル、ポリメタクリル酸エチル、ポリアクリル酸ブチル等のアクリル系樹脂、ポリ酢酸ビニル、塩化ビニル−酢酸ビニル共重合体、ポリビニルアルコール、ポリビニルブチラール等のビニル系樹脂、エチルセルロース、ニトロセルロース、酢酸セルロース等のセルロース誘導体、あるいは熱硬化型樹脂である不飽和ポリエステル樹脂、ポリエステル樹脂、ポリウレタン樹脂、アミノアルキッド樹脂等が使用できる。また、離型性材料としては、ワックス類、シリコーンワックス、シリコーン系樹脂、メラミン樹脂、フッ素系樹脂、タルクやシリカの微粉末、界面活性剤や金属セッケン等の潤滑等が使用できる。
【００７７】
離型層１３は、上記樹脂を適当な溶剤により、溶解または分散させて離型層用塗工液を調製し、これを基材フィルム２上にグラビア印刷法、スクリーン印刷法またはグラビア版を用いたリバースコーティング法等の手段により塗布、乾燥して形成することができる。その乾燥後の厚さは、通常０．１〜１０μｍである。
【００７８】
また、被転写体の指定された位置に中間転写記録媒体１の転写部１２を転写するため、または、転写部１２の受容層５に熱転写シートを用いて画像６を位置ズレおよび色ズレなく形成するため、中間転写記録媒体に位置決め用の検知マークを設けることが好ましい。
【００７９】
検知マークは、光学的に認識可能であればどのような形状であってもよい。例えば、丸形状、四角形状、ライン形状等の印刷マークまたは貫通穴等の従来公知の検知マークを設けることができる。印刷による検知マークは、中間転写記録媒体１の基材フィルム２の何れか一方の面の一部または複数箇所に、従来公知の印刷方法等によって設けることができる。印刷によって検知マークを設ける場合、使用されるインキとしては、従来から使用されている材料を使用することができ、特に限定されない。
【００８０】
次に、被転写体１６について説明する。被転写体１６上には、上述した中間転写記録媒体１Ａ、１Ｂの転写部１２が転写され、その結果、印画物１７が得られる。本発明の中間転写記録媒体１Ａ、１Ｂが適用される被転写体１６は特に限定されず、例えば天燃繊維紙、コート紙、トレーシングペーパー、転写時の熱で変形しないプラスチックフイルム、ガラス、金属、セラミックス、木材、布等いずれのものでもよい。
【００８１】
被転写体１６の形状・用途についても、株券、証券、証書、通帳類、乗車券、車馬券、印紙、切手、鑑賞券、入場券、チケット等の金券類、キヤッシユカード、クレジットカード、プリペイドカード、メンバーズカード、グリーティングカード、ハガキ、名刺、運転免許証、ＩＣカード、光カードなどのカード類、カートン、容器等のケース類、バッグ類、帳票類、封筒、タグ、ＯＨＰシート、スライドフィルム、しおり、カレンダー、ポスター、パンフレット、メニュー、パスポート、ＰＯＰ用品、コースター、ディスプレイ、ネームプレート、キーボード、化粧品、腕時計、ライター等の装身具、文房具、レポート用紙など文具類、建材、パネル、エンブレム、キー、布、衣類、履物、ラジオ、テレビ、電卓、ＯＡ機器等の装置類、各種見本帳、アルバム、また、コンピュータグラフィックスの出力、医療画像出力等、種類を問うものではない。
【００８２】
特に、高解像度で高品質な画像を要求されるパスポートにフルカラーの顔写真やその他の必要とされる事項を転写する場合に、マイクロ文字１０、彩紋柄１１、蛍光潜像１４等が設けられた転写部１２を有する本発明の中間転写記録媒体１Ａ、１Ｂを用いると、偽造や改ざんを防止することができ、高い信頼性と安全性が要求される印画物の作成に好ましく用いられる。
【００８３】
【実施例】
以下に本発明の中間転写記録媒体および印画物について具体的に説明する。
【００８４】
（実施例１）
先ず、厚さ１２μｍで透明なポリエチレンテレフタレートを基材フィルム２として用い、その表面に、以下に示す剥離層用塗工液を塗布・乾燥して、基材フィルム２上に厚さ１．５μｍの剥離層３を形成した。
【００８５】
剥離層用塗工液；
アクリル樹脂                            ４０重量部
ポリエステル樹脂                          ２重量部
メチルエチルケトン                      ５０重量部
トルエン                                ５０重量部
【００８６】
次いで、上記の剥離層３上に、下記の蛍光潜像用インキをグラビア印刷することによって蛍光潜像１４をパターン印刷した。
【００８７】
蛍光潜像用インキ；
バイロン２７０（ポリエステル樹脂インキ）３０重量部
ＡＬＮ−ＧＦ（無機蛍光顔料；根本特殊化学社製）３０重量部
メチルエチルケトン／トルエン（１：１混合溶剤）４０重量部
【００８８】
次いで、蛍光潜像１４が形成された後の剥離層３上に、以下に示すホログラム層用塗工液を塗布・乾燥して、厚さ２．０μｍのホログラム層７を形成した。
【００８９】
ホログラム層用塗工液；
アクリル樹脂                            ４０重量部
メラミン樹脂                            １０重量部
シクロヘキサン                          ５０重量部
メチルエチルケトン                      ５０重量部
【００９０】
このホログラム層７の表面に、回折格子パターンとして０．１ポイントのマイクロ文字１０をエンボスによって設けた。また、同様に、回折格子パターンとして彩紋柄をエンボスによって設けた。
【００９１】
さらに、エンボス加工後の上記のホログラム層７上に、透明蒸着層８として厚さ５００  の酸化チタンを真空蒸着法によって形成し、さらにこの透明蒸着層８上に、以下に示す紫外線吸収層用インキを塗布・乾燥して、厚さ０．５μｍの紫外線吸収層１５を形成した。
【００９２】
紫外線吸収層用インキ；
ＵＶＡ−６３５Ｌ（ＢＡＳＦジャパン社製）４０重量部
メチルエチルケトン／トルエン（１：１混合溶剤）６０重量部
【００９３】
次いで、この紫外線吸収層１５上に、以下に示す受容層用塗工液を塗布・乾燥して、厚さ２μｍの受容層５を形成した。
【００９４】
受容層用塗工液；
塩化ビニル−酢酸ビニル共重合体          ３０重量部
アクリルシリコーン                     １．５重量部
メチルエチルケトン                      ５０重量部
トルエン                                ５０重量部
【００９５】
上記のようにして中間転写記録媒体を得た。この中間転写記録媒体の分光特性を測定したところ、２５０〜３４０ｎｍの波長での紫外線吸収率は９５％であり、３４０〜３７０ｎｍの波長での紫外線吸収率は４０％であった。
【００９６】
この中間転写記録媒体の受容層１５に昇華転写法によって顔写真、文字情報等を印画し、次いで熱ローラーを用いて被転写体１６であるケント紙上に転写を行って印画物を形成した。得られた印画物に波長３６５ｎｍのＵＶランプを照射したところ、蛍光潜像やマイクロ文字が目視によって良好に視認することができた。また、４００ＫＪのキセノン照射試験を行ったところ、退色率は２０％以下であり実用上問題ない退色率であった。また、この印画物を富士ゼロックス製Ａカラー６３５でコピーしたところ、ホログラム層に設けたマイクロ文字や蛍光潜像は複写物に再現されなかった。
【００９７】
【発明の効果】
以上説明したように、本発明の中間転写記録媒体によれば、マイクロ文字が形成されているので、複写による偽造が困難であると共に、転写部にマイクロ文字が形成されているため、被転写体上に印刷された事項を改ざん等しようとして転写部を剥がすと、マイクロ文字が破損してしまうので、改ざん等を防止できる。また、ホログラム層にマイクロ文字が形成されているので、ホログラムとマイクロ文字によって偽造が極めて困難となり、さらに、マイクロ文字が印刷でなく、エンボス加工によって形成されているので、複写によってもマイクロ文字が現れることがなく、信頼性・安全性に優れた印画物とすることができる。また、マイクロ文字を０．２ポイント以下の大きさとし、さらに、転写部に彩紋柄を形成することにより、より一層改ざん等の防止に効果的となる。
【００９８】
また、転写部には、マイクロ文字や彩紋柄のほかに、非可視光領域、特に紫外線領域に吸収をもった材料によって蛍光潜像を形成することにより、複写による偽造をより防止できると共に、被転写体の材質や形状に制約されることなく蛍光潜像を伴う印画物を形成することができる。また、紫外線から印画物を保護するために設けた紫外線吸収層の吸収波長と吸収率を調整することによって、形成された蛍光潜像を認識することができると共に、蛍光潜像の光劣化と改ざん防止の両面において効果がある。
【００９９】
本発明の印画物は、本発明の中間転写記録媒体の転写部を転写することによって得られるので、改ざん等が極めて困難であり、高い信頼性と安全性を有することができる。また、この印画物は、中間転写記録媒体から予め画像やマイクロ文字等が形成された転写部を転写することによって得られるので、パスポートのように既に冊子となった後の所定の欄であっても、容易に転写部を転写することができ、改ざん等がし難く、信頼性と安全性に優れた印画物を得ることができる。
【図面の簡単な説明】
【図１】本発明の中間転写記録媒体の一例を示す断面模式図である。
【図２】本発明の中間転写記録媒体の他の一例を示す断面模式図である。
【図３】本発明の印画物の一例を示す断面模式図である。
【図４】典型的な中間転写記録媒体の構成の断面模式図である。
【符号の説明】
１Ａ、１Ｂ  中間転写記録媒体
２  基材フィルム
３  剥離層
４  保護層
５  受容層
６  画像
７  ホログラム層
８  透明蒸着層
９  アンカー層
１０  マイクロ文字
１１  彩紋柄
１２  転写部
１３  離型層
１４  蛍光潜像
１５  紫外線吸収層
１６  被転写体
１７  印画物
１０１  中間転写記録媒体
１０２  基材フィルム
１０３  剥離層
１０４  保護層
１０５  受容層
１０６  画像
１１２  転写部
【図１】
0004138082.tif 000002
【図２】
0004138082.tif 000003
【図３】
0004138082.tif 000004
【図４】
0004138082.tif 000005